(57)【要約】【課題】内燃機関停止時にピストンが圧縮上死点を乗り越えられずにクランク軸が逆転して発生するカムフォロアと排気カムとの接触音や排気弁とバルブシートとの接触音を低減させる内燃機関のデコンプ装置を供する。【解決手段】円弧状のベース円部(33a)とカム山部(33b)と、排気カム(33)と、デコンプウェイト(65)と、デコンプウェイト(65)に連結されてカムシャフト(31)の正転方向と同方向に回動し、ベース円部(33ａ)から突出する突出部(54)とベース円部(33ａ)に対して没入する切欠き状の退避部(55)とを備え、突出部(54)がカムフォロア(42c)に当接することで排気弁(18)を開閉させるデコンプカム(51)を備え、デコンプカム(51)には、カムシャフト(31)の正転方向における退避部(55)の前部側に、退避部(55)よりも浅く切り欠かれた切欠き部(56)が連設されるデコンプ装置。【選択図】図１０
2014129794.tif 000002
【特許請求の範囲】
【請求項１】
シリンダヘッド(４)に回転自在に支承されるカムシャフト(31)と、
前記カムシャフト(31)の軸線を中心とする円弧状のベース円部(33ａ)と、当該ベース円部(33ａ)よりも径方向外側に突出するようにして前記ベース円部(33ａ)に連設されるカム山部(33ｂ)とを有し、当該カム山部(33ｂ)でロッカアーム(42)を介して排気弁(18)を開閉させる排気カム(33)と、
前記排気カム(33)の側面に回動可能に支承されるとともに、遠心力によって動作するデコンプウェイト(65)と、
前記デコンプウェイト(65)に連結されて前記カムシャフト(31)の正転方向と同方向に回動するとともに、前記ベース円部(33ａ)から突出する突出部(54)と前記ベース円部(33ａ)に対して没入する切欠き状の退避部(55)とを備え、前記突出部(54)が前記ロッカアーム(42)のカムフォロア(42c)に当接することで排気弁(18)を開弁させるデコンプカム(51)を備えた内燃機関(Ｅ)のデコンプ装置(50)において、
前記デコンプカム(51)には、前記カムシャフト(31)の正転方向における前記退避部(55)の前部側に、当該退避部(55)よりも浅い深さで切り欠かれた切欠き部(56)が連設されることを特徴とした内燃機関のデコンプ装置。
【請求項２】
前記切欠き部(56)と前記突出部(54)とが連なる屈曲点を第１屈曲部(57)とし、前記切欠き部(56)と前記退避部(55)とが連なる屈曲点を第２屈曲部(58)としたときに、前記第２屈曲部(58)は前記ベース円部(33ａ)から突出し得るように構成され、前記第２屈曲部(58)の前記ベース円部(33ａ)からの突出量は、前記デコンプカム(51)における前記突出部(54)の前記ベース円部(33ａ)からの突出量よりも小さいことを特徴とする請求項１に記載の内燃機関のデコンプ装置。
【請求項３】
前記デコンプカム(51)の回動方向に沿う方向における前記切欠き部(56)の幅は、前記デコンプカム(51)の回動方向に沿う方向における前記突出部(54)の幅よりも狭いことを特徴とした請求項１または請求項２に記載の内燃機関のデコンプ装置。
【請求項４】
前記デコンプカム(51)の回動方向に沿う方向における前記切欠き部(56)の幅は、前記デコンプカム(51)の回動方向に沿う方向における前記退避部(55)の幅よりも狭いことを特徴とする請求項３に記載の内燃機関のデコンプ装置。
【請求項５】
前記デコンプウェイト(65)は前記カムシャフト(31)と平行な軸線を有するデコンプピン(66)を介して前記排気カム(33)の側面に回転可動に支承されるとともに、遠心力によって前記カムシャフト(31)の正転方向と同方向に開同作動することを特徴とする請求項１ないし請求項４のいずれかに記載の内燃機関のデコンプ装置。
【請求項６】
前記切欠き部(56)と前記突出部(54)とが連なる屈曲点を第１屈曲部(57)とし、前記切欠き部(56)と前記退避部(55)とが連なる屈曲点を第２屈曲部(58)としたときに、
前記デコンプカム(51)の中心軸線(Ｃ)と前記第１屈曲部(57)とを通る直線(Ｌ１)と、前記切欠き部(56)の底面部(60)とで成す角度(θ１)が、
前記デコンプカム(51)の中心軸線(Ｃ)と前記第２屈曲部(58)とを通る直線(Ｌ２)と、前記退避部(55)の底面部(59)とで成す角度(θ２)よりも大きいことを特徴とする請求項５に記載の内燃機関のデコンプ装置。
【発明の詳細な説明】
【技術分野】
【０００１】
本発明は、内燃機関の始動時の圧縮行程において排気弁を開弁することで、ピストンによるシリンダ内の圧縮圧力を低減し、内燃機関の始動を容易にする内燃機関のデコンプ装置に関する。
【背景技術】
【０００２】
従来の内燃機関のデコンプ装置として以下のようなものが知られている。内燃機関のシリンダヘッドに回転自在に支承されるカムシャフトに、カムシャフトの軸線を中心とする円弧状のベース円部と、該ベース円部よりも外側方に突出するようにしてベース円部に連接されるカム山部とが形成された排気カムが一体に設けられ、排気カムの回転に伴い、排気カムのカム山部がカムフォロアを介して排気弁を開弁駆動するものであって、排気カムの側面には、カムシャフト側に近づく方向にスプリングにより付勢され、遠心力によってカムシャフトから離れる方向であってカムシャフトの正転方向と同方向に開動作するデコンプウェイトが回動可能に支承されており、該デコンプウェイトには、排気カムの側面に回動自在に支承されたデコンプカムが連結されている。
【０００３】
従来のデコンプ装置におけるデコンプカム71のカムシャフト軸線方向視における形状を、図１５に示す。デコンプカム71の回転中心Ｃを中心とした円弧状の突出部72と、その一部が切りかかれた退避部73とに形成されており、デコンプウェイトが閉じられた状態では、デコンプカム71の突出部72が排気カムのベース円部から突出し、デコンプウェイトが遠心力によりスプリングの付勢力に抗して開いた状態では、退避部73がロッカアームのカムフォロア側に臨む位置に回動され、デコンプカムは排気カムのベース円部よりも径方向内側に没入するようになっている。
【０００４】
このデコンプ装置では、内燃機関の駆動開始時など、カムシャフトの回転数が所定回転数より低いとき、すなわちデコンプウェイトを開方向へ駆動させるほどの遠心力がデコンプウェイトに作用しないときには、デコンプカム71の突出部72が排気弁のベース円部から突出した状態となって、内燃機関の圧縮行程においてデコンプカム71がカムフォロアを押し上げてロッカアームが排気弁を開弁し、シリンダ内の圧縮圧力を低減するデコンプ状態となる。
【０００５】
また、内燃機関の機関回転数が増加し、カムシャフトの回転数が所定回転数より高くなると、すなわちデコンプウェイトを開方向へ駆動させる遠心力がデコンプウェイトに作用しスプリングの不勢力よりも大きくなると、デコンプウェイトが開方向へ駆動されるとともに、デコンプウェイトによりデコンプカムが回動されて、デコンプカム71に形成された退避部73がロッカアームのカムフォロア側に臨んだ状態となり、デコンプカム71の退避部73は排気カムのベース円部よりも径方向内側に没入して、デコンプカム71はカムフォロアを押し上げることなく排気弁が閉じられたデコンプ解除状態となるものである。
【先行技術文献】
【特許文献】
【０００６】
【特許文献１】特開２０１０−１７８９号公報
【発明の概要】
【発明が解決しようとする課題】
【０００７】
前記した内燃機関のデコンプ装置では、内燃機関を停止させた際に、ピストンが圧縮上死点を乗り越えられずにクランクシャフトが逆転した場合、それに伴いカムシャフトも逆回転する。このような内燃機関の停止時においては、デコンプカム71はデコンプカム71の突出部72が排気弁のベース円部から突出したデコンプ状態にあり、デコンプカムにはカムフォロアが圧接されている。カムシャフトの逆転に伴って排気カムが逆転されると、排気カムの回動に伴ってデコンプカム71はカムシャフトの回転軸を中心とした逆転方向に回動され、カムフォロアによってデコンプカムがひきずられ、すなわちデコンプカム71がデコンプ解除状態になる方向に回動され、デコンプカムの回動に伴いデコンプウェイトがカムシャフトの軸中心線から外方に向かう開方向に駆動されることがある。
【０００８】
さらに、カムシャフトの逆転が進み、カムフォロアがデコンプカム71の退避部73と円弧状部とが連なる屈曲点である屈曲部74に達し、当該屈曲部74を乗り越えると、デコンプカム71が勢いよく回り退避部73がロッカアームのカムフォロア側に臨んだデコンプ解除状態となり、それに伴いカムフォロアが勢いよく排気カムのベース円部に接触するので、このときのカムフォロアがベース円部に接触する際の接触音や、それまで開いていた排気バルブが閉じてバルブシートに接触することによる接触音が生じる可能性があった。このような接触音は、内燃機関を停止した際に発生するためにより目立った音となりやすく、接触音の低減が望まれていた。
【課題を解決するための手段】
【０００９】
前記目的を達成するために、請求項１に記載の発明は、シリンダヘッドに回転自在に支承されるカムシャフトと、前記カムシャフトの軸線を中心とする円弧状のベース円部と、当該ベース円部よりも径方向外側に突出するようにして前記ベース円部に連設されるカム山部とを有し、当該カム山部でロッカアームを介して排気弁を開閉させる排気カムと、前記排気カムの側面に回動可能に支承されるとともに、遠心力によって動作するデコンプウェイトと、前記デコンプウェイトに連結されて前記カムシャフトの正転方向と同方向に回動するとともに、前記ベース円部から突出する突出部と前記ベース円部に対して没入する切欠き状の退避部とを備え、前記突出部が前記ロッカアームのカムフォロアに当接することで排気弁を開閉させるデコンプカムを備えた内燃機関のデコンプ装置において、前記デコンプカムには、前記カムシャフトの正転方向における前記退避部の前部側に、当該退避部よりも浅い深さで切り欠かれた切欠き部が連設されることを特徴とした内燃機関のデコンプ装置である。
【００１０】
請求項２に記載の発明は、前記切欠き部と前記突出部とが連なる屈曲点を第１屈曲部とし、前記切欠き部と前記退避部とが連なる屈曲点を第２屈曲部としたときに、前記第２屈曲部は前記ベース円部から突出し得るように構成され、前記第２屈曲部の前記ベース円部からの突出量は、前記デコンプカムにおける前記突出部の前記ベース円部からの突出量よりも小さいことを特徴とする請求項１に記載の内燃機関のデコンプ装置である。
【００１１】
請求項３に記載の発明は、前記デコンプカムの回動方向に沿う方向における前記切欠き部の幅は、前記デコンプカムの回動方向に沿う方向における前記突出部の幅よりも狭いことを特徴とする請求項１または請求項２に記載の内燃機関のデコンプ装置である。
【００１２】
請求項４に記載の発明は、前記デコンプカムの回動方向に沿う方向における前記切欠き部の幅は、前記デコンプカムの回動方向に沿う方向における前記退避部の幅よりも狭いことを特徴とする請求項３に記載の内燃機関のデコンプ装置である。
【００１３】
請求項５に記載の発明は、前記デコンプウェイトは前記カムシャフトと平行な軸線を有するデコンプピンを介して前記排気カムの側面に回転可動に支承されるとともに、遠心力によって前記カムシャフトの正転方向と同方向に開同作動することを特徴とする請求項１ないし請求項４のいずれかに記載の内燃機関のデコンプ装置である。
【００１４】
請求項６に記載の発明は、前記切欠き部と前記突出部とが連なる屈曲点を第１屈曲部とし、前記切欠き部と前記退避部とが連なる屈曲点を第２屈曲部としたときに、前記デコンプカムの中心軸線と前記第１屈曲部とを通る直線と、前記切欠き部の底面部とで成す角度が、前記デコンプカムの中心軸線と前記第２屈曲部とを通る直線と、前記退避部の底面部とで成す角度よりも大きいことを特徴とする請求項５に記載の内燃機関のデコンプ装置である。
【発明の効果】
【００１５】
請求項１に記載の内燃機関のデコンプ装置によれば、デコンプカムのカムシャフトの正転方向における退避部の前部側に、当該退避部よりも浅い深さで切り欠かれた切欠き部が連設されているので、カムシャフトが逆転された場合であっても、デコンプカムの退避部よりも先に切欠き部がベース円部の外方に臨む位置に移動するので、内燃機関の運転が停止され、ピストンが圧縮上死点を乗り越えられずカムシャフトが逆転し、ロッカアームのカムフォロアによる引きずりが生じ、デコンプカムが逆転された場合あっても、カムフォロアは、デコンプカムの突出部から切欠き部を介して、退避部へと到達する。従って、浅い深さで切りかかれた切欠き部によって、カムフォロアがベース円部側へ移動する移動量を規制することができ、デコンプカムによるカムフォロアのリフト状態から、カムフォロアが直ちにベース円部へ到達することを防ぐことができ、カムフォロアがベース円部に接触する際の接触音を効果的に低減することが可能となる。
【００１６】
請求項２に記載の内燃機関のデコンプ装置によれば、請求項１に記載の内燃機関のデコンプ装置による効果に加えて以下のような効果を奏する。請求項２に記載の内燃機関のデコンプ装置では、デコンプカムの第２屈曲部は、ベース円部から突出し得るように構成され、かつ第２屈曲部の突出量は第１屈曲部の突出量よりも小さいので、カムフォロアとデコンプカムとの接触点がデコンプカムの第１屈曲部から第２屈曲部へと移行する際に、カムフォロアが第２屈曲部に接触している際のカムフォロアのリフト量は、カムフォロアが第１屈曲部に接触している際のリフト量に比べて少なくなり、カムフォロアのデコンプカムとの当接部が第１屈曲部から第２屈曲部を通過する際に、カムフォロアが排気カムのベース円部に接触する勢いを減少させて、カムフォロアが排気カムのベース円部に接触することによる接触音を低減することができる。
【００１７】
さらに、カムフォロアが第２屈曲部に接触している際の排気弁のリフト量は、第１屈曲に接触している際の排気弁のリフト量に比べて少ないので、排気弁がバルブシートの弁座面に接触する勢いを減少させて、排気弁が弁座面に接触する接触音を低減することができる。
【００１８】
請求項３に記載の内燃機関のデコンプ装置によれば、請求項１または請求項２に記載の内燃機関のデコンプ装置による効果に加えて、デコンプカムの回動方向に沿う方向におけるデコンプカムの切欠き部の幅は、デコンプカムの回動方向に沿う方向における突出部の幅よりも狭く形成されているので、カムシャフトの通常の正転時において、デコンプカムの突出部が排気カムのベース円部より突出するデコンプ状態の領域を十分に広げて確保することができる。
【００１９】
請求項４に記載の内燃機関のデコンプ装置によれば、請求項３に記載の内燃機関のデコンプ装置による効果に加えて、デコンプカムの回動方向に沿う方向における切欠き部の幅は、デコンプカムの回動方向に沿う方向における退避部の幅よりも狭く形成されているので、カムシャフトの通常の正転時において、退避部によるデコンプ解除状態の領域を十分に広げて確保することができる。
【００２０】
請求項５に記載の内燃機関のデコンプ装置によれば、請求項１ないし請求項４に記載の内燃機関のデコンプ装置による効果に加えて、以下のような効果を奏する。請求項５に記載の内燃機関のデコンプ装置のデコンプウェイトはカムシャフトと平行な中心軸線を有するデコンプピンを介して排気カムの側面に回転可動に支承されるとともに、遠心力によってカムシャフトの正転方向と同方向に開動作するので、カムシャフトの逆転時においては、カムフォロアがデコンプカムの突出部から退避部に至る際にデコンプウェイトを開方向に駆動させようとする力が大きくなりやすく、前記の接触音やデコンプウェイとの動作音が大きくなりやすい。従って、請求項５に記載のデコンプウェイトを具備したデコンプ装置において好適なものとすることができる。
【００２１】
請求項６に記載の内燃機関のデコンプ装置によれば、請求項５に記載の内燃機関のデコンプ装置による効果に加えて以下のような効果を奏する。従来のデコンプ装置では、カムシャフトの逆転時にカムフォロアがデコンプカムの突出部から退避部へ直接移動する場合に、突出部と退避部が連なる屈曲部とデコンプカムの回転中心軸線と通る直線と、退避部の底面部とでなされる角度が小さいので、ロッカアームのカムフォロアが屈曲部を乗り越える際に、デコンプウェイトを開く方向に作動させようとする力が大きくなるため、カムフォロアが屈曲部を乗り越えたときにデコンプウェイトが勢いよく開く方向へ作動されやすく、その作動音が大きかった。しかし、請求項６に記載の内燃機関のデコンプ装置によればデコンプカムの回転中心軸線と第１屈曲部とを結ぶ直線と切欠き部の底面部とでなす角度は、従来のデコンプ装置の屈曲部とデコンプカムの回転中心軸線と通る直線と、退避部の底面部とでなされる角度よりも大きくなるので、カムフォロアが第１屈曲部を乗り越える際のデコンプウェイトを開く方向に作動させようとする力を減少させることができ、デコンプウェイトの作動音を低減することが可能となる。
【図面の簡単な説明】
【００２２】
【図１】本発明の一実施の形態に係るパワーユニットを搭載した自動二輪車の左側面図である。
【図２】パワーユニットの全体の横断面図である。
【図３】内燃機関の一部の縦断面図である。
【図４】デコンプ状態の動弁機構およびデコンプ装置の断面図である。
【図５】デコンプ解除状態の動弁機構およびデコンプ装置の断面図である。
【図６】デコンプカムの斜視図である。
【図７】図６のVII-VII矢視図であって、デコンプカムの断面形状を示した図である。
【図８】デコンプ状態であるデコンプ装置の要部側面図である。
【図９】デコンプカムの第１屈曲部がロッカアームのデコンプカム当接部に当接している状態のデコンプ装置の要部側面図である。
【図１０】デコンプカムの第２屈曲部がロッカアームのデコンプカム当接部に当接している状態のデコンプ装置の要部側面図である。
【図１１】デコンプ解除状態のデコンプ装置の要部側面図である。
【図１２】カムシャフト逆転開始時におけるデコンプ装置の要部側面図である。
【図１３】デコンプ状態における内燃機関の排気弁周辺の要部拡大断面図である。
【図１４】カムシャフト逆転時における時間経過におけるロッカアームリフト量を示した図である。
【図１５】従来のデコンプ装置のデコンプカムの断面形状を示した図である。
【発明を実施するための形態】
【００２３】
以下、本発明に係る一実施の形態について図１ないし図１４に基づいて説明する。
【００２４】
本実施の形態に係る内燃機関Ｅは、スクータ等の自動二輪車などに搭載されるパワーユニットＰの前部をなす単気筒４ストローク内燃機関であり、該パワーユニットＰが搭載されたスクータ型の自動二輪車１を図１に示している。本明細書では、自動二輪車１の前進方向を前方とし、前方を向いた姿勢を基準にして前後左右を定めている。
【００２５】
自動二輪車１の車体フレームＦは、ヘッドパイプ80からダウンチューブ81が斜め下向きに延びた後、水平に後方に延出している。ダウンチューブ81の後端部81ａには水平方向に指向したクロスメンバ82が固着されており、該クロスメンバ82の左右には一対のリアフレームパイプ83の端部が固着されており、該リアフレームパイプ83は斜め上方に延びた後、後方に向かって水平に延出されている。
【００２６】
ヘッドパイプ80にはフロントフォーク84が枢支され、その下端に前輪ＦＷが軸支され、前輪ＦＷの上方にフロントフェンダ91が設けられ、ヘッドパイプ80の上方には左右に拡開してハンドル85が設けられている。リアフレームパイプ83に収納装置86および燃料タンク87が支持され、その上方にシート88が配置されている。
【００２７】
左右両リアフレームパイプ83の前端にブラケット89が設けられ、該ブラケット89にリンク機構90を介して、パワーユニットＰが揺動可能に連結支持されている。パワーユニットＰの後部の右側に配置される後輪ＲＷが、パワーユニットＰに軸支される。
【００２８】
図２にはパワーユニットＰの全体の横断面図を示している。パワーユニットＰは前部の内燃機関Ｅから後方に掛けてベルト無段変速機Ｔが構成され、その後部に設けられた減速機構Ｒに後輪ＲＷが設けられる。
【００２９】
内燃機関Ｅは４ストローク１気筒のＳＯＨＣ型のバルブシステムが採用されており、左右割の左右クランクケース２に、主軸受13を介してクランク軸９が左右水平方向に指向して軸支されており、この左右クランクケース２からシリンダブロック３が略水平に近い前傾姿勢で前方に設けられ、シリンダブロック３にシリンダヘッド４およびヘッドカバー５が順次重ねられ一体に締結され、左右のクランクケース２の左右の側面、右クランクケースカバー６ａおよび左クランクケースカバー６ｂが取付けられている。
【００３０】
シリンダブロック３には、略水平方向に貫通するシリンダボア７が形成されて該シリンダボア７内にピストン８が嵌合されており、クランク軸９のクランクピン10はコンロッド11を介しピストン８と連結されている。
【００３１】
シリンダヘッド４には燃焼室12が設けられており、内燃機関Ｅの燃焼室12における燃焼エネルギーは、ピストン８の運動エネルギーへ変換されてピストン８が往復動され、コンロッド11を介してクランク軸９が回転駆動されるようになっている。
【００３２】
図３に示されるように、シリンダヘッド４には、燃焼室12に開口する吸気口15ａを有する吸気ポート15と、燃焼室12に開口する排気口16ａを有する排気ポート16とが形成され、吸気口15ａおよび排気口16ａをそれぞれ開閉するいずれもポペット弁からなる吸気弁17および排気弁18と、燃焼室12の中央部に臨む点火栓19とが設けられている（図２参照）。自動二輪車１にクランク軸９を横置きに搭載される本実施例の内燃機関Ｅにおいて、吸気口15ａが上側に排気口16ａが下側に位置する。
【００３３】
さらに、吸気ポート15の吸気口15ａの周方向に亘って吸気バルブシート15ｂが嵌入され、吸気バルブシート15ｂの燃焼室側には、吸気弁17が着座する弁座面15ｃが形成されており、排気ポート16の排気口16ａの周方向に亘って排気バルブシート16ｂが嵌入され、排気バルブシート16ｂの燃焼室側には、排気弁18が着座する弁座面16ｃが形成されている。
【００３４】
機関弁としての吸気弁17および排気弁18は、弁部17ａ，18ａおよびステム部17ｂ，18ｂよりなり、シリンダヘッド２に圧入されたバルブガイド20にそれぞれのステム部17ｂ，18ｂが摺動自在に嵌挿され、バルブスプリング21の弾発力により閉弁方向に常時付勢されている。吸気弁17と排気弁18は、動弁機構30により駆動され、燃焼室12に開口する吸気ポート15と排気ポート16を機関回転に同期して開閉するようになっている。
【００３５】
動弁機構30は、図３および図４に示されるように、シリンダヘッド４の上部に、シリンダヘッド４およびヘッドカバー５よりなる動弁室14内に収容されている。該動弁機構30は、吸気カム32と排気カム33が形成されたカムシャフト31が、シリンダヘッド２とカムシャフトホルダ34によりベアリング35、36を介して回転自在に支承され、カムシャフト31の回転に伴い、吸気カム32と排気カム33が回転し、吸気弁17と排気弁18を開閉するものである。
【００３６】
図４に示されるように、動弁室14において、吸気弁17および排気弁18を挟んで左右にシリンダヘッド２から延出した軸受部22，22が形成され、該軸受部22，22には、半円弧状の軸支部22ａが形成されている。同軸支部22ａとカムシャフトホルダ34，34の半円弧状の軸支部34ａとにより玉軸受であるベアリング35，36が挟持され、この左右のベアリング35，36によりカムシャフト31が左右方向に指向して回転自在に支承される。図４はデコンプ状態のデコンプ装置を示しており、図５はデコンプ解除状態のデコンプ装置を示している。
【００３７】
カムシャフト31には、左右のベアリング35，36の間に位置して、吸気弁17を開閉する動弁カムである吸気カム32が形成され、吸気カム32の右側に隣接して、排気弁18を開閉する動弁カムである排気カム33が形成されている。
【００３８】
図３に示されるように、吸気カム32は、カムシャフト31の軸線を中心とする円弧状のベース円部32ａと、該ベース円部32ａよりも径方向外側に突出するようにベース円部32ａに連接されるカム山部32ｂを有している。排気カム33も同様に、カムシャフト31の軸線を中心とする円弧状のベース円部33ａと、該ベース円部33ａよりも径方向外側に突出するようにベース円部33ａに連接されるカム山部33ｂを有している。
【００３９】
図２に示されるように、シリンダヘッド４の左側軸受部22のさらに左側に位置して、シリンダヘッド４、シリンダブロック３およびクランクケース２に亘って、チェーン室23が前後に貫通して形成されている。
【００４０】
カムシャフト31の左側ベアリング35より左方に突出した左端部31ａには、チェーン室23内において被動チェーンスプロケット37が嵌着されており、クランク軸９には駆動チェーンスプロケット24が嵌着されている。該駆動スプロケット24と前記被動チェーンスプロケット37との間にタイミングチェーン25が架渡され、タイミングチェーン25を介してクランク軸９の動力がカムシャフト31にクランク軸９の半分の回転速度で伝達され、クランク軸９の回転のタイミングにあわせてカムシャフト31が回転されるようになっている。
【００４１】
図３に示されるように、カムシャフト31に平行に、一対のロッカアームシャフト40，40がカムシャフトホルダ34，34に架設されており、該ロッカアームシャフト40，40に、吸気側ロッカアーム41と排気側ロッカアーム42が隣り合って揺動自在に軸支されている。
【００４２】
吸気側ロッカアーム41は、内方に延出した二股に分かれたローラ支持部41ａに、吸気カム32に接するカムフォロアとしてのローラ43が回転自在に支持されており、外方に延出した端部41ｂは、吸気弁17のステム部17ｂの上端部17ｃに接している。
【００４３】
排気側ロッカアーム42は、内方に延出し二股に分かれたローラ支持部42ａに、排気カム33に接するカムフォロアとしてのローラ44が回転自在に支持されており、外方に延出した外方端部42ｂは排気弁18のステム部18ｂの上端部18ｃに接している。
【００４４】
さらに、図３および図４に示されるように、排気側ロッカアーム42の二股に分かれたローラ支持部42ａのうち、一方のローラ支持部42ａには、デコンプカム51がデコンプ状態となったときにデコンプカム51のカム表面に接するデコンプカム当接部42ｃが、排気カム方向に、ローラ44の外周より外側に延出して形成されている。本実施例においては、このデコンプカム当接部42ｃがローラ44の外周面より突出している突出量は、０．３５mmとなっている。
【００４５】
吸気弁17および排気弁18はバルブスプリング21により常に閉方向に付勢されているので、ローラ44は常に吸気カム32および排気カム33に当接する方向に付勢され、カムシャフト31の吸気カム32および排気カム33の回転に伴い、吸気カム32の外周形状および排気カム33の外周形状に追従して、吸気側ロッカアーム41および排気側ロッカアーム42が揺動され、吸気弁17、排気弁18が所定の開閉時期およびリフト量で開閉駆動されるようになっている。
【００４６】
吸気ポート15の入口が開口するシリンダヘッド４の側部に取り付けられる吸気管26を有する吸気装置を通って吸入された空気は、気化器などの燃料供給装置から供給された燃料と混合して混合気を形成し、吸気行程において吸気ポート15を通って開弁した吸気弁17を経て燃焼室12に吸入され、ピストン８が上昇する圧縮行程において混合気の状態で圧縮される。
【００４７】
該混合気は圧縮行程の終期に点火栓19により点火されて燃焼し、ピストン８が下降する膨張行程において燃焼ガスの圧力により駆動されるピストン８がクランク軸９を回転駆動する。
【００４８】
燃焼ガスは、ピストン８が上昇する排気行程において開弁した排気弁18を経て、排気ガスとして燃焼室12から排気ポート16を通った後、排気ポート16の出口が開口するシリンダヘッド４の側部に取り付けられる排気管（図示されず）を通って内燃機関Ｅの外部に排出される。
【００４９】
この内燃機関Ｅは、その始動時の圧縮行程で燃焼室12内の圧縮圧力を開放することにより、始動操作力を軽減するデコンプ装置50を備えている。該デコンプ装置50は、図４に示されるように、シリンダヘッド４内の動弁機構30の排気カム33とベアリング36との間に位置して設けられている。
【００５０】
デコンプ装置50は、排気弁18をデコンプ状態にするデコンプカム51と、カムシャフトの回転数に応じた遠心力によりデコンプカム51をデコンプ状態からデコンプ解除状態へと回転駆動させるデコンプウェイト65、およびデコンプウェイト65をカムシャフト31に近づく閉方向へ付勢するねじりコイルスプリング67を具備している。
【００５１】
デコンプカム51は、図６に示されるように、大径部の円柱形状の円柱本体部52と、円柱本体部52の回転中心軸Ｃと同軸である小径の支軸53からなっている。さらに図８に示されるように、支軸53は、排気カム33のベース円部の右側面に回動自在に支持されている。また、デコンプカム51の円柱本体部52の右側部分に、後述するデコンプウェイト65に設けられた作動ピン68を挿入するためのＵ字状に欠損された凹部61が形成されている。
【００５２】
図７は、図６をVII-VII矢視した円柱本体部52の縦断面形状を表した図である。円柱本体部52の断面形状は、デコンプカム51の回動中心軸Ｃを中心とした円弧状に形成された突出部54と、円弧状の突出部54が切り欠かれ前記突出部54に対して没入する切欠き状の退避部55と、該退避部55のカムシャフト31の正転方向における前部側に、退避部55より浅い深さに切り欠かれた切欠き部56が連設されている。
【００５３】
デコンプカム51の回動方向に沿う方向における切欠き部56の幅は、前記突出部54の幅よりも狭く形成され、さらに退避部55の幅よりも狭く形成されている。デコンプカム51の突出部54と切欠き部56とが連なる屈曲点を第１屈曲部57とし、切欠き部56と退避部55とが連なる屈曲点を第２屈曲部58とする。図７において破線で示すものは、デコンプカム51における突出部54の外郭線を延長した仮想線であり、第２屈曲部58はこの破線よりも径方向内側に位置する。
【００５４】
図７に示されるように、デコンプカム51は、デコンプカム51の回動中心軸Ｃと前記第１屈曲部57とを通る直線Ｌ１と、前記切欠き部56の底面部59とで成す角度θ１が、デコンプカム51の中心軸線Ｃと第２屈曲部58とを通る直線Ｌ2と、退避部の底面部60とで成す角度θ２よりも大きくなるように形成されている。
【００５５】
さらに、デコンプカム51の回動中心軸Ｃと前記第１屈曲部57とを結んだ直線Ｌ１の長さＲは、デコンプカム51の中心軸線Ｃと第２屈曲部58とを結んだ直線Ｌ2の長さｒよりも長い。また、デコンプカム51の回動中心軸Ｃから切欠き部56の底面部60までの距離ｈは、デコンプカム51の回動中心軸線Ｃから退避部55の底面部59までの距離Ｈよりも長くなるようになっている。
【００５６】
図８に示されるように、デコンプカム51は支軸53により、排気カム33のベース円部33ａの右側面に、排気カム33の回転軸を挟んでカム山部33ｂの頂部と反対側に位置して回動自在に支持されている。さらに、図９に示されるように、デコンプカム51は、デコンプカム51が回動されて突出部54がロッカアーム42のローラ44に臨んだ際に、デコンプカム51の突出部51のカム表面が、排気カム33のベース円部33ａのカム表面から突出するように排気カム33に支持されており、その突出量は例えば０．１４５mmで設定されている。
【００５７】
また、図１０に示されるように第２屈曲部58がロッカアーム42のローラ44に臨んだ際に、デコンプカム51の第２屈曲部51が排気カム33のベース円部33ａのカム表面から突出し、かつ第２屈曲部58の突出量が第１屈曲部57の突出量すなわち突出部54の突出量よりも少なくなるように切欠き部56は形成されており、第２屈曲部58の突出量は例えば０．００７mmに設定されている。
【００５８】
さらに、図１１に示されるように、退避部55がロッカアーム42のローラ44に臨んだ際に、退避部55は排気カム33のベース円部33ａのカム表面よりも径方向内側に没入するようになっている。
【００５９】
図３および図４に示されるように、デコンプカム51を回動させるデコンプウェイと65は、排気カム33の突出部54側の右側面に、基端部66ａを圧入されカムシャフト31と平行になるように右方に突設されたデコンプピン66を介して、回転可能に支承されている。
【００６０】
図８に示されるように、デコンプウェイト65は、デコンプピン66に揺動自在に支持された基端部65ａから厚肉アーム65ｂがデコンプシャフト31を取り囲むように延出し、さらに薄肉アーム65ｃがデコンプシャフト31を取り囲み、薄肉アーム65ｃの先端部65ｄはデコンプカム51を通り過ぎるまで延出して形成されている。
【００６１】
薄肉アーム65ｃの先端部65ｄの側面には、作動ピン68がデコンプカム側に突設されている。作動ピン68はデコンプカム51の円柱本体部52に形成されたＵ字状の凹部61に嵌挿されている。
【００６２】
図８から図１０に示されるように、デコンプウェイト65のデコンプピン66を中心とした揺動に伴ってデコンプウェイト65の先端部65ｄが移動して、先端部65ｄに突設された作動ピン68の動きにより、デコンプカム51が排気カム33の側面に嵌入された支軸53を中心として回動される。従って、デコンプウェイト65の揺動量により、排気カム33の外周面に対して、デコンプカム51の円柱本体部52の突出部54、退避部55、切欠き部56が所定の位置関係になる。
【００６３】
図８に示されるように、ねじりコイルスプリング67はデコンプピン66の周囲に図４に示されるように右方にずれて複数回巻きつけられており、ねじりコイルスプリング67の一方の端部67ａはカムシャフト31に巻きつけられた後排気カム33の側面に固着されており、他方の端部67ｂはデコンプウェイト65の基端部65ａに穿設された孔65ｄに係止される。デコンプウェイト65は、ねじりコイルスプリング67により、デコンプウェイト65の厚肉アーム65ｂおよび薄肉アーム65ｃの内周面がカムシャフト31に接する方向に常時付勢されている。
【００６４】
内燃機関Ｅが始動を開始し、正転方向へ回転するカムシャフト51の回転数が所定回転数以下である場合には、デコンプ装置50は、図８に示されるようなデコンプ状態にある。デコンプウェイト65に発生する遠心力はねじりコイルスプリング67による付勢力よりも小さく、デコンプウェイト65の揺動量は少なく、デコンプカム51の突出部54は、排気カム33のベース円部33ａ外周面より突出した状態にある。排気カム33の回転中にデコンプカム51の突出部54がロッカアーム42デコンプカム当接部42ｃに臨む状態になると、デコンプカム51の突出部54により、排気側ロッカアーム42のデコンプカム当接部42ｃが押し上げられ、排気側ロッカアーム41の外方端部41ｂにより排気弁18の上方端部18ｃが押圧され、内燃機関Ｅが圧縮行程にあっても、排気弁18が開放されて圧力を低下させるデコンプ状態となる。本実施例では、デコンプカム51がデコンプ解除状態になる方向に回動することを正転とし、デコンプ状態に戻ることを逆転とする。
【００６５】
そして内燃機関Ｅの回転数が増大して所定回転数以上になると、デコンプウェイト65に生じる遠心力はコイルスプリング67による付勢力よりも大きくなり、デコンプウェイト65はコイルスプリング67の不勢力に抗って次第に外方に揺動し、図９および図１０に示されるように、デコンプウエィト65の揺動に伴って、突出部54、第１屈曲部57、切欠き部56、第２屈曲部58の順でデコンプカム当接部42ｃへ臨むようにデコンプカム51が回動される。
【００６６】
さらに内燃機関Ｅの回転数が増大し、図１１に示されるように、デコンプウェイト65がより外方に揺動しデコンプカム51が回動されると、排気側ロッカアーム42のデコンプカム当接部42ｃにデコンプカム51の切欠き部56が対向して臨む状態になるので、退避部55は排気カム33のベース円部33ａのカム表面よりも径方向内側に没入した状態となり、排気側ロッカアーム42のデコンプカム当接部42ｃはデコンプカム51に接触しなくなり、排気側ロッカアーム42のローラ44が排気カム33の外周面に当接されるようになって、排気側ロッカアーム42は排気カム33の外周面の形状に追従して動作するようになり、デコンプ装置50はデコンプ解除状態となる。
【００６７】
内燃機関Ｅが停止されて、カムシャフト31の回転が減少すると、デコンプウェイト65に生じる遠心力が減少して、ねじりコイルスプリング67の付勢力により、デコンプウェイト65は内方に引き戻されるよう揺動され、デコンプ装置50はデコンプ状態に戻る。
【００６８】
ところで、内燃機関Ｅが停止する際に、ピストン８が圧縮上死点を乗り越えられずクランク軸９の逆転が発生することがある。クランク軸９が逆転すると、タイミングチェーン25も逆方向に回転し、それに伴いカムシャフト31が逆回転する。この時のカムシャフト31の回転数は低く、デコンプ装置50はデコンプ状態にあるので、排気側ロッカアーム42のデコンプカム当接部42ｃがデコンプカム51の突出部54に圧接されており、カムシャフト31の逆転にともなってデコンプカム当接部42ｃによりデコンプカム51が引きずられて回動し、デコンプ解除される方向すなわち正転されて、デコンプウェイト65が外方に作動されることがある。
【００６９】
ここで、本実施例において、カムシャフト31が逆転方向に回転し、デコンプカム当接部42ｃによるデコンプカム51の引きずり現象が生じた場合の、経過時間におけるロッカアームリフト量変化を図１４に示す。ロッカアームリフト量とは、排気カム33のベース円部33ａの外周面からロッカアーム42のローラ44がリフトされたリフト量をいい、該ロッカアームリフト量に従って揺動されたロッカアーム44の端部42ｂが排気弁18が押圧して排気弁のリフト量が定まる。
【００７０】
まず、カムシャフト31の逆転初期においては、カムシャフト31は所定回転以下の回転数にあるので、デコンプカ51ムはデコンプ状態にあり、デコンプカム51の突出部54は、排気カム33のベース円部33ａよりも、0.１４５ｍｍ突出した状態にある。
【００７１】
カムシャフト31の逆転開始が排気カムのどの位相において開始されるかにもよるが、図１２に示されるようにデコンプカム51がロッカアーム42のデコンプカム当接部42ｃから離れた位置にあるときには、デコンプカム51がデコンプ状態であっても、突出部54はロッカアーム42のデコンプカム当接部42ｃと接触することがなく、ロッカアーム42のローラ44は排気カム33のベース円部33ａに接した状態にあり、ロッカアームリフト量は０mmとなっており、図１４において点Ａで示される。
【００７２】
カムシャフト31の逆転が進むと、排気カム33の側面に支承されているデコンプカム51が次第にロッカアーム42に近づいていき、図８に示されるようにロッカアーム42のローラ44が排気カム33のベース円部33ａと接したまま、デコンプカム51の突出部54がロッカアーム42のデコンプカム当接部42ｃと当接する。このときのロッカアームリフト量はまだ０mmであり、図１４において点Ｂで示される。
【００７３】
さらにカムシャフト31が逆転されると、デコンプカム51の突出部54がロッカアーム42のデコンプカム当接部42ｃと当接しつつ、排気カム33は逆転され、それにともないロッカアームリフト量は増加していく。デコンプカム51はデコンプ状態にあるので、本実施例では、突出部54は排気カムのベース円部33ａから０．１４５mm突出しており、さらにロッカアーム42のデコンプカム当接部42ｃはローラ44から０．３５mm突出しているので、ロッカアームリフト量は双方を加えた０．４９５mmとなり、図１４において点Ｃで示される。
【００７４】
そして、カムシャフト31の逆転が進むと、カム当接部42ｃの圧接によってデコンプカムが引きずられて回動し、図９のように、やがてデコンプカム当接部42ｃは第１屈曲部57に当接し、第１屈曲部57のベース円部33ａからの突出量は、突出部54の突出量と同じなので、その際のロッカアームリフト量は、突出部54がカム当接部42ｃと当接している際のロッカアームリフト量と同じ０．４９５mmであり、図１４の点Ｄで示される。
【００７５】
デコンプカム当接部42ｃは、第１屈曲部突出を乗り越えると、浅い切欠き部56に当接されるようになり、ロッカアームリフト量は次第に減少していき、図１０のように、第２屈曲部58と当接するようになる。本実施例の第２屈曲部58のベース円部33ａからの突出量は０．００７mmであるので、このときのロッカアームリフト量は０．３５７mmとなり、図１４において点Ｅで示される。
【００７６】
さらにカムシャフトの逆転が進むと、カム当接部42ｃが第２屈曲部58を乗り越えると、デコンプカム51は、デコンプカム当接部42ｃにより逆転方向にさらに回動され、図１１のように、デコンプカム51の退避部55がデコンプカム当接部42ｃに臨むこととなり、退避部55は排気カム33のベース円部33ａに対して没入しているので、カム当接部42ｃはデコンプカム51と非接触となるため、排気側ロッカアーム41のローラ44が排気カムのベース円部33ａに当接されデコンプ装置50はデコンプ解除状態となり、ロッカアームリフト量は０mmとなり、図１４において点Ｆで示される。
【００７７】
図１５にデコンプカムに切欠き部が設けられていない従来のデコンプ装置70のデコンプカム71の断面形状を示している。従来のデコンプカム71は、突出部72と退避部73が設けられており、カムシャフト31の正転方向における退避部73の前部側には切欠き部が形成されておらず、排気側ロッカアーム41のデコンプカム当接部42ｃが突出部72と退避部73とが連なる屈曲点の屈曲部74から第２屈曲部を経ることなく、排気側ロッカアーム41のローラ44が排気カム33のベース円部33ａの表面に接触するので、図１４の破線で示されるようなロッカアームのリフト量変化となる。すなわち、点Ａから点Ｄを経た後に、ロッカアームリフト量を維持したまま屈曲部74の位置となる点Ｇに達し、その後デコンプカム71はデコンプカム当接部42ｃにより逆転方向にさらに回動され、デコンプカム71の退避部73がデコンプカム当接部42ｃに臨むこととなり、退避部73は排気カム33のベース円部33ａに対して没入しているので、カム当接部42ｃはデコンプカム71と非接触となるため、排気側ロッカアーム41のローラ44が排気カムのベース円部33ａに当接されデコンプ解除状態となり、ロッカアームリフト量は０mmとなり、図１４において点Ｆに示される状態となる。従来のデコンプ装置70ではロッカアームリフト量が０．４９５mmから直ちにリフト量０mmまで変化するため、ローラのベース円部への接触音や、排気バルブがバルブシートに着座する際の接触音が大きくなりやすい。
【００７８】
本実施例においては、従来のデコンプカム70とは異なり、第１屈曲部57を乗り越えたカム当接部42ｃは、直ちにデコンプカムと非接触となることなく、第２屈曲部58と当接した後に非接触となるため、ロッカアームリフト量は、第１屈曲部57における０．４９５mmから、第２屈曲部58における０．３５７mmを経て、退避部55における０mmとなり、デコンプカム51による排気ロッカアーム42のリフト状態からローラ44がベース円部33ａに直ちに到達することを防止し、ローラ44がベース円部33ａに接触する際の接触音が低減される。
【００７９】
さらに、本実施例においては、図７に示されるように、デコンプカム51の中心軸線Ｃと第１屈曲部とを通る直線Ｌ１と、切欠き部56の底面部60とで成す角度θ1が、デコンプカム51の中心軸線Ｃと前記第２屈曲部58を通る直線Ｌ２と、退避部55の底面部59とで成す角度θ２よりも大きいので、デコンプカム当接部42ｃが第１屈曲部57を乗り越える際のデコンプウェイト65を開く方向に作動させようとする力を低減することができる。したがって、図１４で示すように、点Ｅと点Ｆを結んだ傾きＢよりも、点Ｄと点Ｅを結んだ傾きＡはゆるやかな傾斜となり、急激にデコンプウェイトが開方向へ揺動するのを防ぐことができ、デコンプウェイト65の作動音を低減することが可能となる。
【００８０】
さらに、ロッカアームの揺動中心軸からデコンプカム当接部42ａまでの距離と、ロッカアーム回動中心軸から排気弁18の上方端部18ｃまでの距離の比が、本実施例においては約１．３７倍に設定されているので、排気弁リフト量は、ロッカアームリフト量の１．３７倍となり、デコンプカム当接部42ｃが突出部54に当接した状態および第１屈曲部57に当接状態では０．６７８mm、第２屈曲部58に当接状態では０．４８９mmとなる。本実施例のデコンプ装置では、図１３に示されるように、排気弁のリフト量が０．６７８mmの開弁状態である排気弁18が、直ちに排気側バルブシートに着座することなく、０．４８９mmの開弁状態を経た後に着座するため、着座する際の接触音が低減される。
【００８１】
以上より、本実施例におけるデコンプ装置50では、デコンプカム51は、カムシャフト31の正転方向、すなわちデコンプカム51の正転方向において、退避部55の前部側に退避部55よりも浅い深さで切欠き部56が連設されているので、排気側ロッカアーム41のデコンプカム当接部42ｃが第２屈曲部58を乗り越えても、該デコンプカム当接部42ｃが退避部55よりも浅い深さの切欠き部56を通過してから退避部55へ移動する。従って、浅い深さで切り欠かれた切欠き部56によって、排気側ロッカアーム42のカムフォロワであるローラ44が排気カム33のベース円部33ａ側に移動する移動量を規制することができ、デコンプカム51による排気側ロッカアーム42のリフト状態から、ローラ44がベース円部33ａに直ちに到達することを防止し、ローラ44がベース円部33ａに接触する際の接触音を低減することができる。
【００８２】
さらに、デコンプカム51の第２屈曲部58は排気カム33のベース円部33ａから突出し得るように構成され、第２屈曲部58のベース円部33ａからの突出量は、デコンプカム51の突出部54のベース円部33ａからの突出量よりも小さいので、排気側ロッカアーム42のデコンプカム当接部42ｃとデコンプカム51との接触点が、デコンプカム51の第１屈曲部57から第２屈曲部へと意向する際に、第２屈曲部を通過する時点では、若干の排気弁18のリフト量を確保することができるので、排気弁18が排気バルブシート16ｂの弁座面16ｃへ接触する接触音や、ローラ44がベース円部33ａに接触する際の接触音を防止することができる。
【００８３】
また、カムシャフト31の回転方向に沿う方向における切欠き部56の幅は、カムシャフト31の回転方向に沿う方向における突出部54の幅よりも狭いので、デコンプカム当接部42ｃが突出部54に接触する幅を確保し、デコンプ装置50がデコンプ状態にある領域を充分に確保することができる。
【００８４】
さらに、カムシャフト31の回転方向に沿う方向における切欠き部56の幅は、カムシャフト31の回転方向に沿う方向における退避部55の幅よりも狭いので、デコンプカム51の退避部55によるデコンプ解除状態の領域を充分確保することができる。
【００８５】
さらにまた、本実施例のデコンプ装置50では、デコンプウェイト65はカムシャフト31と平行な軸線を有するデコンプピン66を介してカムシャフト31に回転可動に支承されるとともに、遠心力によって前記カムシャフト31の正転方向と同方向に開同作動するので、本実施例のように、カムシャフト31の正転方向と同方向に開動作するデコンプウェイト65においては、カムシャフト31の逆転時に、デコンプカム当接部42ｃがデコンプカム51の突出部54から退避部55に至る際にデコンプウェイト65を開方向に駆動させようとする力が大きくなるため、ローラ44がベース円部33ａに接触する際の接触音やデコンプウェイト65の動作音が大きくなりやすい。よって、本実施例のようなデコンプウェイト65を具備したデコンプ装置50に適用すると、ローラ44がベース円部33ａに接触する際の接触音やデコンプウェイト65の動作音を低減することに対してより一層効果的である。
【００８６】
また、従来のデコンプ装置では、図１５に示されるように、カムシャフト31の逆転時にカムフォロア42のデコンプカム当接部42ａがデコンプカム71の突出部72から退避部73へ直接移動する場合に、突出部72と退避部73が連なる屈曲部74とデコンプカム71の回転中心軸線Ｃと通る直線と、退避部73の底面部75とでなされる角度θ３が小さいので、ロッカアーム42のデコンプカム当接部42ａが屈曲部74を乗り越える際に、デコンプウェイト65を開く方向に作動させようとする力が大きくなるため、デコンプカム当接部42ａが屈曲部74を乗り越えたときにデコンプウェイト65が勢いよく開く方向へ作動されやすく、その作動音が大きかった。しかし、本実施例のデコンプ装置50では、デコンプカム51の中心軸線Ｃと第１屈曲部57とを通る直線Ｌ１と、切欠き部56の底面部60とで成す角度θ１が、従来のデコンプカム51の中心軸線Ｃと前記第２屈曲部58とを通る直線Ｌ２と、退避部55の底面部59とで成す角度θ２よりも大きいので、さらにθ２は従来のデコンプ装置の屈曲部74とデコンプカム71の回転中心軸線Ｃと通る直線と、退避部73の底面部74とでなされる角度よθ３と略等しいことより、θ１は従来のデコンプカム71のθ３より大きくなるので、本実施例のデコンプ装置では、カムフォロアが第１屈曲部を乗り越える際のデコンプウェイトを開く方向に作動させようとする力を減少させることができ、デコンプウェイトの作動音を低減することが可能となる。
【符号の説明】
【００８７】
Ｅ…内燃機関、Ｐ…パワーユニット、Ｃ…中心軸線、Ｌ１…直線、Ｌ２…直線、θ１…角度、θ２…角度
１…自動二輪車、４…シリンダヘッド、18…排気弁、31…カムシャフト、33…排気カム、33ａ…ベース円部、33ｂ…カム山部、41…カムフォロア、42…排気側ロッカアーム、42ｃ…デコンプカム当接部、50…デコンプ装置、51…デコンプカム、54…突出部、55…退避部、56…切欠き部、57…第１屈曲部、58…第２屈曲部、59…第１底面部、60…第２底面部、60…凹部、65…デコンプウェイト、66…デコンプピン。
【図１】
2014129794.tif 000003
【図２】
2014129794.tif 000004
【図３】
2014129794.tif 000005
【図４】
2014129794.tif 000006
【図５】
2014129794.tif 000007
【図６】
2014129794.tif 000008
【図７】
2014129794.tif 000009
【図８】
2014129794.tif 000010
【図９】
2014129794.tif 000011
【図１０】
2014129794.tif 000012
【図１１】
2014129794.tif 000013
【図１２】
2014129794.tif 000014
【図１３】
2014129794.tif 000015
【図１４】
2014129794.tif 000016
【図１５】
2014129794.tif 000017